(57)【特許請求の範囲】
【請求項１】
ハードウェア処理回路を備えるユーザ機器（ＵＥ）であって、前記ハードウェア処理回路は、
無線アクセス・ネットワーク（ＲＡＮ）支援情報がＲＡＮの進化型ＮｏｄｅＢ（ｅＮＢ）から受信されているか否かを判定し、前記ＲＡＮ支援情報はＵＥが自身のネットワーク設定を構成するために使用可能なデータであり、
前記ＲＡＮ支援情報が有効であるか否かを判定し、
前記ＲＡＮ支援情報が受信されており、有効であるときに、前記ＲＡＮとワイヤレス・ローカル・エリア・ネットワーク（ＷＬＡＮ）との間のトラフィック・ステアリングを実施し、
前記ＲＡＮ支援情報が受信されておらず、又は、有効でないときに、トラフィック・ステアリングを控え、新たなＲＡＮ支援情報を取得し、
新たなＲＡＮ支援情報が受信されるときに、前記新たなＲＡＮ支援情報を使用して前記ＲＡＮと前記ＷＬＡＮとの間のトラフィック・ステアリングを実施する、
ように構成され、
前記ＲＡＮと前記ＷＬＡＮとの間の前記トラフィック・ステアリングの実施は、
データ・パケットが前記ＵＥから送信され、又は、前記ＵＥによって受信されてから経過した時間に従ってスケーリングされているＴｓｔｅｅｒｉｎｇＷＬＡＮタイマに基づき、又は、
トラフィック・セッションのトラフィック特性に基づく、前記ＵＥからのパケット送信又は前記ＵＥによるパケット受信の確率の関数に従ってスケーリングされているＴｓｔｅｅｒｉｎｇＷＬＡＮタイマに基づき、
判定される、ユーザ機器（ＵＥ）。
【請求項２】
前記ハードウェア処理回路は、新たなＲＡＮ支援情報を取得する前に、ＵＥ送信バッファが空でないかどうかを判定するようにさらに構成される、請求項１に記載のＵＥ。
【請求項３】
前記ハードウェア処理回路は、
利用可能なＲＡＮ支援情報の指示を前記ＲＡＮから受信し、
データが前記ＵＥから送信されるべきであるとき、又は、前記ＵＥによって受信されるべきであるときを判定し、
前記データが前記ＵＥから送信されるべきであるとき、又は、前記ＵＥによって受信されるべきであるときに、かつ、利用可能なＲＡＮ支援情報の指示に応答して、前記新たなＲＡＮ支援情報を取得し、
前記新たな、又は、記憶されている、有効なＲＡＮ支援情報に基づいて前記ＲＡＮと前記ＷＬＡＮとの間のトラフィック・ステアリングを実施する、
ようにさらに構成される、請求項１に記載のＵＥ。
【請求項４】
前記ハードウェア処理回路は、データが前記ＵＥによって受信されるべきであるときを判定するために、パケットの受信から所定の時間が満了したか否かを判定するようにさらに構成される、請求項３に記載のＵＥ。
【請求項５】
前記ハードウェア処理回路は、前記ＵＥが先行して記憶されているＲＡＮ支援情報を有しないときを判定し、利用可能なＲＡＮ支援情報を前記ＵＥ内に記憶するか、又は、前記先行して記憶されているＲＡＮ支援情報を、前記利用可能なＲＡＮ支援情報に置き換えるようにさらに構成される、請求項１に記載のＵＥ。
【請求項６】
前記ＵＥはマルチＲＡＴ通信装置である、請求項１に記載のＵＥ。
【請求項７】
前記ハードウェア処理回路は、
前記ＵＥがＲＲＣ＿ＩＤＬＥである間に、無線リソース制御（ＲＲＣ）接続の確立及び／又はデータの転送を求める要求を受信し、
前記ＲＡＮからの前記新たなＲＡＮ支援情報の指示の受信に応答して、又は、専用ＲＡＮ支援情報メッセージの受信後に、新たなＲＡＮ支援情報を取得し、記憶し、
先行して記憶されているＲＡＮ支援情報が利用可能でないときに、前記記憶されている新たなＲＡＮ支援情報に基づいて、前記ＲＡＮと前記ＷＬＡＮとの間のトラフィック・ステアリング決定を実施し、
先行して記憶されているＲＡＮ支援情報が利用可能であるときに、前記新たなＲＡＮ支援情報が受信される前に、前記先行して記憶されている有効なＲＡＮ支援情報を使用して、前記ＲＡＮと前記ＷＬＡＮとの間の前記トラフィック・ステアリング決定を実施する、
ようにさらに構成される、請求項１に記載のＵＥ。
【請求項８】
前記ＲＡＮ支援情報は、システム情報ブロック（ＳＩＢ）の中で、又は、無線リソース制御（ＲＲＣ）シグナリングによって受信される、請求項７に記載のＵＥ。
【請求項９】
前記ハードウェア処理回路は、ＲＡＮ支援情報が先行して記憶されておらず、又は、有効でないときに、前記利用可能なＲＡＮ支援情報を取得し、記憶するようにさらに構成される、請求項７に記載のＵＥ。
【請求項１０】
前記ハードウェア処理回路は、
前記ＵＥがＲＲＣ＿ＩＤＬＥである間に、無線リソース制御（ＲＲＣ）接続の確立及び／又はデータの転送を求める要求の受信後に、所定の期間を有する待機タイマを始動し、
前記所定の期間の満了後に、先行して記憶されている有効なＲＡＮ支援情報を使用して前記ＲＡＮと前記ＷＬＡＮとの間のトラフィック・ステアリング決定を実施するか、又は
所定の期間の満了前で、かつ、専用ＲＡＮ支援情報メッセージが受信された後に、新たなＲＡＮ支援情報を前記ＲＡＮから取得して記憶し、前記新たなＲＡＮ支援情報に基づいて前記ＲＡＮと前記ＷＬＡＮとの間の前記トラフィック・ステアリング決定を実施する、
ようにさらに構成される、請求項１に記載のＵＥ。
【請求項１１】
前記ハードウェア処理回路は、前記ＲＡＮから後続する修正期間の指示を受信した後に、トラフィック・ステアリングのために、前記新たなＲＡＮ支援情報を使用するようにさらに構成される、請求項１０に記載のＵＥ。
【請求項１２】
前記ハードウェア処理回路は、
利用可能なＲＡＮ支援情報の指示を前記ＲＡＮから受信し、
新たなＲＡＮ支援情報を前記ＲＡＮから取得し、記憶し、
前記記憶されているＲＡＮ支援情報に基づいて、前記ＲＡＮと前記ＷＬＡＮとの間のトラフィック・ステアリングを実施する、
ようにさらに構成される、請求項１に記載のＵＥ。
【請求項１３】
前記ハードウェア処理回路は、ブロードキャスト・メッセージ又は前記ＵＥに対する専用メッセージから前記新たなＲＡＮ支援情報を受信するようにさらに構成される、請求項１２に記載のＵＥ。
【請求項１４】
前記ハードウェア処理回路は、
利用可能なＲＡＮ支援情報の指示を前記ＲＡＮから受信し、
データが前記ＵＥから送信されるべきであるとき、又は、前記ＵＥによって受信されるべきであるときを判定することなく新たなＲＡＮ支援情報を取得し、
前記新たなＲＡＮ支援情報を前記ＵＥ内に記憶し、
前記記憶されているＲＡＮ支援情報に基づいてＷＬＡＮへのトラフィック・ステアリングを実施する、
ようにさらに構成される、請求項１に記載のＵＥ。
【請求項１５】
前記ＲＡＮ支援情報は、前記ＵＥがトラフィック・ステアリング決定を行うため、及び／又は、そのネットワーク設定を前記ＵＥが前記ＲＡＮと通信することを可能にするように構成するために使用する、前記ＲＡＮによってブロードキャストされるデータを含む、請求項１４に記載のＵＥ。
【請求項１６】
ユーザ機器（ＵＥ）によるＲＡＮ−ワイヤレス・ローカル・エリア・ネットワーク（ＷＬＡＮ）インターワーキングのための方法であって、
無線アクセス・ネットワーク（ＲＡＮ）支援情報がＲＡＮの進化型ＮｏｄｅＢ（ｅＮＢ）から受信されているか否かを判定するステップであって、前記ＲＡＮ支援情報はＵＥが自身のネットワーク設定を構成するために使用可能なデータである、ステップと、
前記ＲＡＮ支援情報が有効であるか否かを判定するステップと、
前記ＲＡＮ支援情報が受信されており、有効であるときに、前記ＲＡＮとＷＬＡＮとの間のトラフィック・ステアリングを実施するステップと、
前記ＲＡＮ支援情報が受信されておらず、又は、有効でないときに、トラフィック・ステアリングを控え、新たなＲＡＮ支援情報を取得するステップと、
新たなＲＡＮ支援情報が受信されるときに、前記新たなＲＡＮ支援情報を使用して前記ＲＡＮと前記ＷＬＡＮとの間のトラフィック・ステアリングを実施するステップと、
を含み、
前記ＲＡＮと前記ＷＬＡＮとの間の前記トラフィック・ステアリングの実施を、
データ・パケットが前記ＵＥから送信され、又は、前記ＵＥによって受信されてから経過した時間に従ってスケーリングされているＴｓｔｅｅｒｉｎｇＷＬＡＮタイマに基づき、又は、
トラフィック・セッションのトラフィック特性に基づく、前記ＵＥからのパケット送信又は前記ＵＥによるパケット受信の確率の関数に従ってスケーリングされているＴｓｔｅｅｒｉｎｇＷＬＡＮタイマに基づき、判定するステップ、
を更に含む方法。
【請求項１７】
データが前記ＵＥから送信され、又は、前記ＵＥによって受信されてから経過した時間をＴｓｉｎｃｅＬａｓｔＰａｃｋｅｔタイマによって判定するステップと、
前記経過した時間に基づいて前記新たなＲＡＮ支援情報を取得するステップと、
をさらに含む請求項１６に記載の方法。
【請求項１８】
ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ又は前記ＵＥに対する専用シグナリングを通じて、前記新たなＲＡＮ支援情報の指示を受信するステップ、をさらに含む請求項１６に記載の方法。
【請求項１９】
前記ＲＡＮ支援情報は、システム情報ブロック（ＳＩＢ）メッセージの中で受信される、請求項１８に記載の方法。
【請求項２０】
コンピュータプログラムであって、ＵＥに、無線アクセス・ネットワーク（ＲＡＮ）とＷＬＡＮとの間のトラフィック・ステアリングのための動作を実施させ、前記動作は、
無線アクセス・ネットワーク（ＲＡＮ）支援情報がＲＡＮの進化型ＮｏｄｅＢ（ｅＮＢ）から受信されているか否かを判定するステップであって、前記ＲＡＮ支援情報はＵＥが自身のネットワーク設定を構成するために使用可能なデータである、ステップと、
新たなＲＡＮ支援情報を取得する前に、ＵＥ送信バッファが空でないときを判定するステップと、
前記ＲＡＮ支援情報が受信されており、有効であるときに、前記ＲＡＮとＷＬＡＮとの間のトラフィック・ステアリングを実施するステップと、
前記ＲＡＮ支援情報が受信されておらず、又は、有効でないときに、新たなＲＡＮ支援情報を取得するステップと、
新たなＲＡＮ支援情報が受信されるときに、前記新たなＲＡＮ支援情報を使用して前記ＲＡＮと前記ＷＬＡＮとの間のトラフィック・ステアリングを実施するステップと、
を含み、
前記ＲＡＮと前記ＷＬＡＮとの間の前記トラフィック・ステアリングの実施を、
データ・パケットが前記ＵＥから送信され、又は、前記ＵＥによって受信されてから経過した時間に従ってスケーリングされているＴｓｔｅｅｒｉｎｇＷＬＡＮタイマに基づき、又は、
トラフィック・セッションのトラフィック特性に基づく、前記ＵＥからのパケット送信又は前記ＵＥによるパケット受信の確率の関数に従ってスケーリングされているＴｓｔｅｅｒｉｎｇＷＬＡＮタイマに基づき、判定するステップ、
を更に含む、コンピュータプログラム。
【請求項２１】
前記動作はさらに、
前記ＵＥにおける記憶されている有効なシステム情報ブロック（ＳＩＢ）情報又は受信した新たなＲＡＮ支援情報に基づいて、トラフィック・ステアリングを実施するステップ、
を含む、請求項２０に記載のコンピュータプログラム。
【請求項２２】
請求項２０又は２１に記載のコンピュータプログラムを記憶したコンピュータ可読記憶媒体。
【発明の詳細な説明】
【技術分野】
【０００１】
本特許出願は、２０１４年１２月１６日に提出された米国特許出願第１４／５７２，６４１号に対する優先権の利益を主張し、当該特許出願は、「ＭＥＴＨＯＤＳ  ＡＮＤ  ＰＲＯＣＥＤＵＲＥＳ  ＦＯＲ  ＲＡＮ  ＡＳＳＩＳＴＥＤ  ＴＲＡＦＦＩＣ  ＳＴＥＲＲＩＮＧ  ＢＥＴＷＥＥＮ  ＣＥＬＬＵＬＡＲ  ＡＮＤ  ＷＬＡＮ」と題する、２０１４年８月８日に提出された米国仮特許出願第６２／０３５，１７６号に対する優先権の利益を主張する。これらはすべて本明細書に、参照によりそれらの全体が組み込まれる。
【０００２】
本明細書において説明されている実施形態は、概して、無線アクセス・ネットワーク（ＲＡＮ）に関する。いくつかの実施形態は、概して、セルラ・ネットワークとＷＬＡＮとの間のユーザ機器（ＵＥ）トラフィック・ステアリングに関する。いくつかの実施形態は、３ＧＰＰ  ＬＴＥ、ＩＥＥＥ８０２．１１、ＷＣＤＭＡ（登録商標）、及びＥ−ＵＴＲＡＮネットワークに関する。
【背景技術】
【０００３】
移動体音声及びデータ通信を目的として、ユーザ機器（ＵＥ）（たとえば、携帯電話）は、進化型ユニバーサル移動体通信システム（ＵＭＴＳ）地上無線アクセス・ネットワーク（Ｅ−ＵＴＲＡＮ）の一部である基地局（たとえば、進化型ノードＢ（ｅＮｏｄｅＢ、ｅＮＢ））と通信することができる。ＵＥはまた、より限定された範囲にわたる音声及びデータ通信のために、ＩＥＥＥ８０２．１１ベースのシステム（たとえば、ＷＬＡＮ、ＷｉＦｉ）と通信することもできる。ＵＥが、高いトラフィック負荷を受けているＥ−ＵＴＲＡＮシステム又はＩＥＥＥ８０２．１１システムの１つにわたって通信している場合、通信性能を改善するために、そのＵＥに対するトラフィックを他のシステムに部分的に又は完全に移動させることが有益である場合がある。
【０００４】
無線アクセス・ネットワーク（ＲＡＮ）とＷＬＡＮとの間でＵＥをステアリングすることが一般的に必要とされている。
【図面の簡単な説明】
【０００５】
【図１】いくつかの実施形態による２つの無線アクセス・ネットワークの間で移動するＵＥの一実施形態を示す図である。
【図２】いくつかの実施形態による、データがＵＥから又はＵＥへと送信されるべきであるときのトラフィック・ステアリングのための最新のＲＡＮ支援情報を記憶するための方法の一実施形態の流れ図である。
【図３】いくつかの実施形態による、記憶されている有効なＲＡＮ支援情報、又は、ブロードキャスト若しくは専用シグナリングを介して取得される新たなＲＡＮ支援情報を利用する、データがＵＥから又はＵＥへと送信されるべきであるときのトラフィック・ステアリングのための方法の一実施形態の流れ図である。
【図４】いくつかの実施形態による、記憶されている有効なＲＡＮ支援情報、又は、ブロードキャスト若しくは専用シグナリングを介して取得される新たなＲＡＮ支援情報を利用する、データがＵＥから又はＵＥへと送信されるべきであるときのトラフィック・ステアリングのための方法の別の実施形態の流れ図である。
【図５】いくつかの実施形態による、記憶されている有効なＲＡＮ支援情報、又は、ブロードキャスト若しくは専用シグナリングを介して取得される新たなＲＡＮ支援情報を利用する、データがＵＥから又はＵＥへと送信されるべきであるときのトラフィック・ステアリングのための方法のまた別の実施形態の流れ図である。
【図６】いくつかの実施形態による、ＲＡＮ支援情報が変化するときのバッファ状態にかかわらず、ＲＡＮ支援情報を取得及び記憶するための方法の一実施形態の流れ図である。
【図７】いくつかの実施形態による、ＲＡＮ支援情報、及び、最後の送信から経過した時間に基づくトラフィック・ステアリングのための方法の一実施形態の流れ図である。
【図８】いくつかの実施形態によるデバイスの一実施形態のブロック図である。
【発明を実施するための形態】
【０００６】
音声及びデータの両方の移動体通信は、その始まり以来、ますます成長を続けている。当初、ＵＥは、セルラ・ネットワーク（Ｅ−ＵＴＲＡＮ）において、相対的に大きい範囲にわたる音声通信のために使用されていた。セルラ・データ通信（たとえば、ＧＰＲＳ、ＥＤＧＥ、第３世代パートナーシップ・プロジェクト（３ＧＰＰ）ＬＴＥ）が後に、データ通信のために追加された。ＩＥＥＥ８０２．１１規格によって定義されているものとしてのワイヤレス・ローカル・エリア・ネットワーク（ＷＬＡＮ）は当初、ワイヤレス・データ通信に使用されていたが、最終的には音声通信も追加された。ＷＬＡＮのためのアクセスポイント（ＡＰ）は、比較的に最近になってよく見られるようになった。ほとんどの消費者向けビジネスが現在、それらの顧客が顧客のワイヤレスＵＥを用いて、セルラよりも限られた範囲にわたってインターネットに接続することを可能にするためのＡＰを供給している。ワイヤレス・データ及び音声通信の急速な成長に起因して、両方のＲＡＮはトラフィック量によって過負荷をかけられる場合がある。
【０００７】
ほとんどの現代のＵＥは現在、複数の無線アクセス技術（ＲＡＴ）を含み得る。したがって、ＵＥは、ＲＡＮとＷＬＡＮの両方を介して通信することが可能であり得る。後述される実施形態において、トラフィックは、作業負荷に基づいて１つのシステムから別のシステムへとステアリング又はオフロードされ得る。したがって、３ＧＰＰが過負荷をかけられ、ＷＬＡＮのための近傍のＡＰに空き容量がある場合、ＵＥのトラフィックはシームレスに、完全に又は部分的にＷＬＡＮシステムへと切り替えられ得る。ＷＬＡＮシステムから３ＧＰＰシステムへの逆のステアリングも、同じ実施形態の下で達成され得る。
【０００８】
１つのネットワークから別のネットワークへのこのトラフィック・ステアリング（すなわち、オフロード）は、ＵＥが、システム情報ブロック（ＳＩＢ）、又は、たとえば、無線リソース制御（ＲＲＣ）接続再構成メッセージのような、ＵＥに送信される専用信号を使用してトラフィック・ステアリング決定を行うのを助けるために、ＲＡＮ支援情報をブロードキャストする３ＧＰＰネットワーク・ノード（たとえば、ｅＮＢ）によって達成され得る。
【０００９】
ＵＥトラフィックをステアリングする決定は、複数の基準を使用する複数の方法で行われ得る。たとえば、一実施形態において、トラフィック・ステアリング決定手順は、ＵＥから又はＵＥへと送信されるべきであるデータがあるときにのみ実施される。言い換えれば、ＵＥにあるアップロード・バッファ又はｅＮＢ若しくはＡＰにあるダウンロード・バッファは、最後のパケットが送信又は受信されてから経過した時間によって示されるものとして、空でない。トラフィック・ステアリング決定のために、ＵＥは、ａ）記憶されているＳＩＢ情報が利用可能であり有効である場合にこれを利用し、又は、ｂ）最新のＲＡＮ支援情報がブロードキャストされるか又は専用にシグナリングされ、ＵＥによって受信され得るまで待つことができる。
【００１０】
別の実施形態において、トラフィックのステアリングに関する最新の決定は、バッファ状態がいずれであるかにかかわらず行われ得る。たとえば、ステアリングは、ＵＥ又はネットワークが必要なときはいつでも準備ができているように、ＲＡＮ支援情報が変化するときに実施され得る。
【００１１】
また別の実施形態において、ＵＥは、最新のＲＡＮ支援情報を保持し、ＲＡＮ支援情報及び最後にデータ・パケットが送信又は受信されてから経過した時間に基づいて、ＷＬＡＮへの又はＷＬＡＮからのトラフィックをステアリングするように決定する。言い換えれば、ステアリングは、トラフィック特性に基づいて実施される。これらの様々な実施形態は、後に、図２〜図７を参照してより詳細に説明される。
【００１２】
後述される実施形態は、任意のＲＡＮを使用することができる。本発明の実施形態は任意のＲＡＮとＷＬＡＮとの間でトラフィック・ステアリングを実施することができるため、３ＧＰＰとＷＬＡＮとの間のステアリングへの参照は、例示のみを目的としたものである。
【００１３】
図１は、いくつかの実施形態による、２つのＲＡＮ１３０、１３１の間で移動するＵＥ１００を含むシステムの一実施形態を示す。ＵＥ１００は、図８に示されており、後述されているような、携帯電話又は何らかの他の移動通信デバイスであってもよい。
【００１４】
システムは、複数のセル１１１を有するセルラ・ネットワーク１３０（Ｅ−ＵＴＲＡＮ、ＲＡＮ）をさらに含むことができる。各セル１１１は、その特定のセル１１１の中で通信するための基地局（たとえば、ｅＮＢ）１１２を有することができる。スイッチ、コントローラ、及びサーバを含むセルラ・ネットワーク・オペレータ１１３が、陸線通信回線（たとえば、インターネット、電話回線）と、ネットワーク１３０のｅＮＢとの間に結合され得る。これは、ＵＥ１００が、陸線通信回線にワイヤレスアクセスすることを可能にする。セルラ・ネットワーク１３０は、３ＧＰＰを介してＵＥ１００と通信することができる。
【００１５】
システムのＷＬＡＮ１３１は、ＷＬＡＮ１３１のためのカバレッジ・エリア１１０を提供するＡＰ１０８を含むことができる。ＵＥ１００がカバレッジ・エリア内にあるとき、ＵＥは、ＷＬＡＮオペレータ１０９を通じて陸線通信回線（たとえば、インターネット、電話回線）にアクセスすることができる。ＷＬＡＮオペレータ１０９はまた、サーバ、コントローラ、及びスイッチをも含むことができる。
【００１６】
ＷＬＡＮ１３１は、同じセルラ・ネットワーク・オペレータ又は異なるオペレータによって展開されてもよい。ＷＬＡＮ  ＡＰ１０８は、論理的に又は物理的にＥ−ＵＴＲＡＮ  ｅＮＢ１１２とともに配置されて示されている。しかしながら、他の実施形態は、別個のアンテナ、並びに、実質的に重なり合っているセル１１１及びカバレッジ・エリア１１０のみを有してもよい。
【００１７】
ＵＥ１００は、ＷＬＡＮ１３１とセルラ・ネットワーク１３０の両方によってサービスされている領域を通じて移動している場合がある。たとえば、ＵＥ１００がｅＮＢ１１２と通信しており、そのネットワーク１３０がトラフィックによって過負荷をかけられている場合、ＵＥは、ＷＬＡＮ１３１へとオフロードされ得、それによって、ＵＥはＡＰ１０８と通信する。このトラフィック・ステアリングを実施するための実施形態は、後に説明される。
【００１８】
後続の実施形態は、システム情報ブロック（ＳＩＢ）情報及びＲＡＮ支援情報を使用することができる。ＳＩＢ情報は、Ｅ−ＵＴＲＡＮからＵＥへと送信される、ＵＥが読み出し復号する必要がある情報として定義され得る。ＳＩＢ情報は、ブロードキャスト制御チャネル（ＢＣＣＨ）を介して送信され得る。
【００１９】
ＲＡＮ支援情報は、Ｅ−ＵＴＲＡＮによってブロードキャストされる、ＵＥがネットワークと通信し、及び／又は、トラフィック・ステアリング決定を行うことを可能にするように、ＵＥがそのネットワーク設定を構成するために使用することができるデータとして定義され得る。たとえば、情報は、ＵＴＲＡＮ信号強度閾値及び他のデータを含んでもよい。
【００２０】
図２は、いくつかの実施形態による、データがＵＥから又はＵＥへと送信されるべきであるときのトラフィック・ステアリングのための最新のＲＡＮ支援情報を記憶するための方法の一実施形態の流れ図を示す。この実施形態は、トラフィック・ステアリングが、各ＵＥのトラフィックが断続的である（すなわち、集中的なトラフィック・パターンに従う）ＳＩＢ数若しくは専用ＲＡＮ支援パラメータ獲得及び／又はオフロード決定を最小限に抑えることによって電池電力を節約するのに有用であり得る。
【００２１】
この実施形態において、ＵＥは、データが送信又は受信されるべきであると予測される（たとえば、ＵＥの送信バッファ内のデータ、ＡＰ若しくはｅＮＢのダウンロード・バッファ内のデータ、又は、最後にデータが受信されてから経過した時間が不十分である）場合にのみ、最新のＲＡＮ支援情報を読み出し、復号し、使用する。したがって、通信されるべきであるデータを有しないＵＥは、定期的にブロードキャストされるＳＩＢを受信し、それに対して措置をとる必要がないため、エネルギー効率的であり得る。たとえば、アイドル・モードにあるＵＥ、又は、不連続受信（ＤＲＸ）若しくはＷＬＡＮスリープ状態にあるＵＥは、ＵＥが、データが送信又は受信されることになると予測されると判定することができるまで、なんら措置をとる必要がない。
【００２２】
ＵＥは、データ送信又は受信の要件を複数の方法で判定することができる。たとえば、その送信バッファが空でなく、データ送信が必要であるというＵＥの上層からの指示、ＵＥがＬＴＥ又はＷＬＡＮリンク上で休止（ＤＲＸ又はスリープ）状態にない、又は、データの最後の送信及び受信から経過した時間の、当該時間が所与の閾値を超えるか否かをチェックするためのモニタリング。そのような閾値は、トラフィック・クラス／タイプ／特性、並びに、このトラフィック・クラス又はタイプに関する予測データレート及び到来間統計値の知識に基づいて設定され得ることに留意されたい。概して、ＤＲＸモードに入るか、又は、ＤＲＸモードを終えるために使用されるトラフィック予測アルゴリズムが使用され得る。より一般的には、そのような閾値は、閾値がパケット到来又は出発に基づいてスケール・アップ又はダウンされるように、適用的に設定され得る。
【００２３】
ＵＥが送信又は受信されるべきであるデータを有するとＵＥが判定するとき、ＵＥは、先行して記憶されているＲＡＮ支援情報を使用して、トラフィック・ステアリング決定を行うことができる。代替的に、ＵＥは、最新の情報を読み出し、最新の情報を適用するために、次のＳＩＢブロードキャスト又は専用シグナリング・インスタンスまで待つことができる。
【００２４】
図２を参照すると、ブロック２０１において、ＵＥは、ＵＥによって受信されるネットワーク・ブロードキャスト（たとえば、ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ）又は専用シグナリングが、ＲＡＮ支援情報が変更されている、及び／又は、利用可能であることを（たとえば、ＳＩＢ１７又は専用ＲＡＮ支援情報メッセージにおいて）示すときに、方法を開始する。一実施形態において、これは、変更通知がＵＥによって受信されるときであり得る。
【００２５】
ブロック２０３において、ＵＥは、ＵＥが３ＧＰＰ−ＷＬＡＮインターワーキング向けに構成されているか否かをチェックする。ＵＥが３ＧＰＰ−ＷＬＡＮインターワーキング向けに構成されている場合、ＵＥは、ブロック２０５において、ＵＥが送信又は受信されるべきである何らかのデータを有するか否かをチェック及び判定する。これは、前述されたように達成され得る。
【００２６】
ＵＥが３ＧＰＰ−ＷＬＡＮインターワーキング向けに構成されていない、又は、送信若しくは受信されるべきであるデータを有しない場合、ＵＥは、ブロック２１３において、最新のＲＡＮ支援情報（たとえば、ＳＩＢ１７）又は専用ＲＡＮ支援情報メッセージを無視する。
【００２７】
ＵＥが３ＧＰＰ−ＷＬＡＮインターワーキング向けに構成されており、ダウンロード・バッファ及び／又はアップロード・バッファが空でない場合、ブロック２０７において、ＵＥは、最新のＳＩＢ情報（たとえば、ＳＩＢ１７）又は専用ＲＡＮ支援情報メッセージを受信し、復号する。
【００２８】
ブロック２０８において、ＲＡＮ支援情報がＵＥ内に先行して記憶されているか否かが判定される。ＲＡＮ支援情報が先行して記憶されていない場合、ＵＥは、ブロック２０９において、受信されたＲＡＮ支援情報を記憶する。
【００２９】
先行して受信されているＲＡＮ支援情報がＵＥ内に記憶されている場合、ブロック２１０において、ＵＥは、既存の記憶されているＲＡＮ支援情報を、受信された最新の情報と置き換える。トラフィック・ステアリング決定がその後、図３〜図５の実施形態のうちの１つの結果に基づいて行われ得る。
【００３０】
図３は、いくつかの実施形態による、記憶されている有効なＲＡＮ支援情報、又は、ブロードキャスト若しくは専用シグナリングを介して取得される新たなＲＡＮ支援情報を利用する、データがＵＥから又はＵＥへと送信されるべきであるときのトラフィック・ステアリングのための方法の一実施形態の流れ図を示す。ＵＥは、ブロック３０１において、ネットワーク又はＵＥの上層が、ＵＥがＲＲＣ＿ＩＤＬＥである間にＲＲＣ接続の確立及び／又は新たなデータの転送を要求するときに、この方法を開始する。
【００３１】
ブロック３０３において、ＵＥは、ＵＥが３ＧＰＰ−ＷＬＡＮインターワーキング向けに構成されているか否かを判定する。ＵＥが３ＧＰＰ−ＷＬＡＮインターワーキング向けに構成されている場合、ブロック３０５において、ＵＥは、ＲＡＮ支援情報が先行して記憶されており、有効である（すなわち、古くなっていない、期限切れになっていない）か否かを判定する。ＲＡＮ支援情報が記憶されており、有効である場合、ブロック３１３において、ＵＥは、記憶されているＲＡＮ支援情報を直ちに使用する。
【００３２】
ＲＡＮ支援情報がない、又は、無効であり（すなわち、古くなっている又は期限切れになっている）、ブロック３０７において、ネットワークが、ＲＡＮ支援情報が利用可能であるか又は変更されていることを（たとえば、ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ又は専用シグナリングを使用して）すでに示している場合、ブロック３０９において、ＵＥは、ＵＥがブロック３１０において最新のＲＡＮ支援情報（たとえば、ＳＩＢ１７又は専用ＲＡＮ支援情報メッセージ）を取得するまで待つ。ブロック３１１において、ＵＥは、新たに受信されたＲＡＮ支援情報を使用する。別のネットワークへのトラフィック・ステアリングを実施する決定は、ブロック３１５において実行される。
【００３３】
図４は、いくつかの実施形態による、記憶されている有効なＲＡＮ支援情報、又は、ブロードキャスト若しくは専用シグナリングを介して取得される新たなＲＡＮ支援情報を利用する、データがＵＥから又はＵＥへと送信されるべきであるときのトラフィック・ステアリングのための方法の別の実施形態の流れ図を示す。ＵＥは、ブロック４０１において、ネットワーク又はＵＥの上層が、ＵＥがＲＲＣ＿ＩＤＬＥである間にＲＲＣ接続の確立及び／又は新たなデータの転送を要求するときに、この方法を開始する。
【００３４】
ブロック４０３において、ＵＥは、ＵＥが３ＧＰＰ−ＷＬＡＮインターワーキング向けに構成されているか否かを判定する。ＵＥが３ＧＰＰ−ＷＬＡＮインターワーキング向けに構成されている場合に、ブロック４０５において、ネットワークが、ＲＡＮ支援情報が利用可能であるか又は変更されていることを（たとえば、ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ又は専用シグナリングを使用して）すでに示している場合、ＵＥは、ブロック４０７において、ＵＥがブロック４０８において最新のＲＡＮ支援情報（たとえば、ＳＩＢ１７又は専用ＲＡＮ支援情報メッセージ）を取得するまで待つ。ＵＥはその後、ブロック４０９、４１５において、新たに受信されたＲＡＮ支援情報を使用して別のネットワークへのトラフィック・ステアリングを実施する。そうでない場合、ブロック４１１、４１３において、ＵＥは、先行して記憶されている情報を、当該情報が利用可能であり有効である場合に使用する。
【００３５】
図５は、いくつかの実施形態による、記憶されている有効なＲＡＮ支援情報、又は、ブロードキャスト若しくは専用シグナリングを介して取得される新たなＲＡＮ支援情報を利用する、データがＵＥから又はＵＥへと送信されるべきであるときのトラフィック・ステアリングのための方法のまた別の実施形態の流れ図を示す。ＵＥは、ブロック５０１において、ネットワーク又はＵＥの上層が、ＵＥがＲＲＣ＿ＩＤＬＥである間にＲＲＣ接続の確立及び／又は新たなデータの転送を要求するときに、この方法を開始する。
【００３６】
ブロック５０３において、ＵＥは、ＵＥが３ＧＰＰ−ＷＬＡＮインターワーキング向けに構成されているか否かを判定する。ＵＥが３ＧＰＰ−ＷＬＡＮインターワーキング向けに構成されている場合、ブロック５０５において、ＵＥは待機タイマを始動し、ブロック５０７において、待機タイマが満了したか否かをチェックする。待機タイマが満了していない間、ＵＥは、ブロック５０９、５０７において、次のＳＩＢ修正期間又は最新のＲＡＮ支援情報を取得するための専用シグナリング・インスタンスが到来するまで待機及びチェックを継続する。
【００３７】
待機タイマは、最大待機期間を判定し、その期間後、最新のＲＡＮ支援情報がまだ取得されていない場合、ＵＥは、ブロック５１３、５１５において、記憶されている情報を、当該情報が利用可能であり有効である場合に、使用することができる。このタイマは、たとえば、ＳＩＢ修正期間又はトラフィック特性に基づくことができる。ＵＥはその後、ブロック５１１における、新たに受信されたＲＡＮ支援情報、又は、ブロック５１５における、先行して記憶されているＲＡＮ支援情報のいずれかを使用して、ブロック５１７において、別のネットワークへのトラフィック・ステアリングを実施することができる。
【００３８】
図６は、いくつかの実施形態による、ＲＡＮ支援情報が変化するときのバッファ状態にかかわらず、ＲＡＮ支援情報を取得及び記憶するための方法の一実施形態の流れ図を示す。この実施形態において、ＵＥは、最新のＲＡＮ支援情報を、送信バッファ状態にかかわらず、その情報が利用可能になるとすぐに読み出し、復号し、記憶する。ＵＥは、先行するＳＩＢブロードキャスト又は専用シグナリングから、ＵＥによって記憶されている最新のブロードキャスト又は専用ＲＡＮ支援情報を使用することができ、そのため、情報がすでに存在し、利用可能である場合に、次のＳＩＢ更新まで待つ必要がない。
【００３９】
この実施形態は、ＵＥが３ＧＰＰ−ＷＬＡＮインターワーキング向けに構成されていると仮定する。ＵＥは、ブロック６０１において、ネットワーク・ブロードキャスト（たとえば、ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ）又は専用シグナリングが、ＲＡＮ支援パラメータが変更されている、又は、利用可能であることを（たとえば、ＳＩＢ１７又は専用ＲＡＮ支援情報メッセージにおいて）示すときに、方法を開始する。これは、変更通知がＵＥによって受信されることによって示され得る。
【００４０】
ブロック６０３において、ＵＥは、ＵＥが３ＧＰＰ−ＷＬＡＮインターワーキング向けに構成されているか否かをチェックする。ＵＥが３ＧＰＰ−ＷＬＡＮインターワーキング向けに構成されている場合、ブロック６０５において、ＵＥは、最新のＲＡＮ支援情報（たとえば、ＳＩＢ１７）又は専用ＲＡＮ支援情報メッセージを受信し、復号する。
【００４１】
ブロック６０７において、ＲＡＮ支援情報が先行してＵＥ内に記憶されていない場合、ＵＥは、ブロック６０９において、新たに受信されたＲＡＮ支援情報を記憶する。
【００４２】
先行して受信されているＲＡＮ支援情報がＵＥ内に記憶されている場合、ＵＥは、ブロック６１３において、既存の記憶されているＲＡＮ支援情報を、受信された現在の情報と置き換える。ＵＥが３ＧＰＰ−ＷＬＡＮインターワーキング向けに構成されていない場合、ＵＥは、ブロック６１１において、変更されている又は利用可能なＲＡＮ支援情報を無視する。新たに受信されたＲＡＮ支援情報はその後、ＵＥによって、図３の実施形態において詳述されているように別のシステム（別のＲＡＴ又はネットワーク）へのトラフィック・ステアリングを実施するために使用される。
【００４３】
図７は、いくつかの実施形態による、記憶されているＲＡＮ支援情報、及び、最後の送信から経過した時間に基づくトラフィック・ステアリングのための方法の一実施形態の流れ図を示す。この実施形態は、３ＧＰＰシステムとＷＬＡＮとの間のトラフィック・ステアリングを開始する前の、規則がその間満たされている時間値を指定するＴｓｔｅｅｒｉｎｇＷＬＡＮタイマ、及び、最後のパケットがＵＥによって送信又は受信されてからの継続時間を指定するＴｓｉｎｃｅＬａｓｔＰａｃｋｅｔを使用する。
【００４４】
ブロック７０１、７０３において、ＵＥが（Ｅ）−ＵＴＲＡＮ又は３ＧＰＰとＷＬＡＮとの間のトラフィック・ステアリングをサポートする場合、ＵＥは、ブロードキャスト及び／又は専用シグナリングを介して受信される最新のＲＡＮ支援パラメータを保持する。ＵＥは、最後のパケットがＵＥによって送信又は受信されてから経過した時間（すなわち、ＴｓｉｎｃｅＬａｓｔＰａｃｋｅｔ）を考慮に入れる。これは、ブロック７０５、７０７、７０９によって示されているように、複数の実施形態において実施され得る。
【００４５】
たとえば、ブロック７０５において、ＴｓｔｅｅｒｉｎｇＷＬＡＮタイマが、最後のパケットがＵＥによって送信又は受信されてから経過した時間（すなわち、ＴｓｉｎｃｅＬａｓｔＰａｃｋｅｔ）に従ってスケール・アップ（すなわち、増大）されてもよい。最後のパケットからの期間が長いほど、ＴｓｔｅｅｒｉｎｇＷＬＡＮタイマの増大は大きくなる。タイマのスケーリングは、パケット送信又は受信の確率の関数であり得、各トラフィック・セッションのトラフィック特性に基づいて予測され得る。
【００４６】
ブロック７０７において、最後のパケットがＵＥによって送信又は受信されてから経過した時間（すなわち、ＴｓｉｎｃｅＬａｓｔＰａｃｋｅｔ）が一定の所定閾値時間よりも大きい場合、ＵＥは、所定のトラフィック・ステアリング規則（たとえば、技術仕様書（ＴＳ）３６．３０４／ＴＳ２５．３０４において定義されている）を評価しない。ブロック７０９においては、ＵＥは、通常そうするように、所定のトラフィック・ステアリング規則（たとえば、ＴＳ３６．３０４／ＴＳ２５．３０４において定義されている）を評価し、その指示をネットワークの上層に送信する。上層は、そのような指示に直ちに応答することはできないが、最後のパケットがＵＥによって送信又は受信されてから経過した時間（すなわち、ＴｓｉｎｃｅＬａｓｔＰａｃｋｅｔ）を、トラフィック・ステアリングを行うにあたって考慮に入れることができる。ブロック７１１において、トラフィック・ステアリングがその後、上記の実施形態及び最新のＲＡＮ支援情報に基づいて行われ得る。
【００４７】
図８は、いくつかの実施形態による、ＵＥ（単一及び複数のＲＡＴ）、アクセスポイント（ＡＰ）、及び／又はセルラ基地局（たとえば、ｅＮｏｄｅＢ、ｅＮＢ）の例示的な形態の装置を示すブロック図である。図２〜図７に示されているような命令セット又はシーケンスが、通信装置に、例示的な実施形態に従って、本明細書において説明されている方法のいずれか１つを実施させるために実行され得る。
【００４８】
いくつかの実施形態において、通信装置は、独立型デバイスとして動作し、又は、他の通信装置に接続（たとえば、ネットワーク接続）されてもよい。通信装置は、移動通信デバイス（たとえば、携帯電話、ＵＥ）、コンピュータ、パーソナルコンピュータ（ＰＣ）、タブレットＰＣ、ハイブリッドタブレット、個人情報端末（ＰＤＡ）、又は、通信装置によって行われるべき動作を指定する命令（連続的又は他の様態）を実行するように構成されている任意のデバイスの一部分であってもよい。「プロセッサベースシステム」という用語は、プロセッサ（たとえば、コンピュータ）によって、個々に又は共同して本明細書において説明されている方法のいずれか１つ又は複数を実施するための命令を実行するように制御又は操作される１つ又は複数の通信装置から成る任意のセットを含むものと解釈されるべきである。
【００４９】
通信装置８００は、リンク８０８（たとえば、バス）を介して互いに通信する少なくとも１つのコントローラ８０２（たとえば、中央処理装置（ＣＰＵ）、グラフィックス・プロセッシング・ユニット（ＧＰＵ）又はその両方、プロセッサ・コア、計算ノードなど）、メイン・メモリ８０４及びスタティック・メモリ８０６を含むことができる。通信装置８００は、表示装置８１０（たとえば、ビデオ、ＬＥＤ、ＬＣＤ）及び英数字入力デバイス８１２（たとえば、キーパッド、キーボード）をさらに含むことができる。一実施形態において、表示装置８１０及び入力デバイス８１２は、タッチ・スクリーン・ディスプレイのように、１つのユニットとして組み込まれてもよい。通信装置８００は、加えて、記憶デバイス８１６（たとえば、ドライブ・ユニット）、信号生成デバイス８１８（たとえば、スピーカ）、ネットワーク・インターフェース・デバイス８２０、及び１つ又は複数のセンサ（図示せず）を含むことができる。ネットワーク・インターフェース・デバイス８２０は、ワイヤレス・ネットワーク・チャネル８２６を介して通信するために１つ又は複数のアンテナに結合されている１つ又は複数の無線機（たとえば、送信機及び受信機）を含むことができる。
【００５０】
記憶デバイス８１６は、本明細書において説明されている方法又は機能のうちのいずれか１つ又は複数を具現化するか、又は、それによって利用されるデータ構造及び命令の１つ又は複数のセット８２４（たとえば、ソフトウェア）が記憶されているコンピュータ可読媒体８２２を含む。命令８２４はまた、通信装置８００によるその実行中に、完全に又は少なくとも部分的に、メイン・メモリ８０４、スタティック・メモリ８０６、及び／又はプロセッサ８０２内に存在することもでき、メイン・メモリ８０４、スタティック・メモリ８０６、及びプロセッサ８０２も、コンピュータ可読媒体を構成する。
【００５１】
コンピュータ可読媒体８２２は、例示的な一実施形態において、単一の媒体であるように示されているが、「コンピュータ可読媒体」という用語は、１つ又は複数の命令８２４を記憶する、単一の媒体又は複数の媒体（たとえば、集中型若しくは分散型データベース、並びに／又は関連付けられるキャッシュ及びサーバ）を含むことができる。
【００５２】
実施形態は、ハードウェア、ファームウェア及びソフトウェアのうちの１つ又はそれらの組み合わせにおいて実装されてもよい。実施形態はまた、少なくとも１つのプロセッサによって、本明細書において説明されている動作を実施するために読み出され、実行され得る、コンピュータ可読記憶デバイス上に記憶されている命令として実装されてもよい。コンピュータ可読記憶デバイスは、機械（たとえば、コンピュータ）によって読み出し可能な形態で情報を記憶するための任意の非一時的機構を含んでもよい。たとえば、コンピュータ可読記憶デバイスは、読み出し専用メモリ（ＲＯＭ）、ランダム・アクセス・メモリ（ＲＡＭ）、磁気ディスク記憶媒体、光学記憶媒体、フラッシュ・メモリ・デバイス、並びに他の記憶デバイス及び媒体を含んでもよい。いくつかの実施形態において、システムは、１つ又は複数のプロセッサを含むことができ、コンピュータ可読記憶デバイス上に記憶されている命令を用いて構成され得る。
【００５３】
命令８２４は、さらに、いくつかの既知の転送プロトコル（たとえば、ＨＴＴＰ）のうちのいずれか１つを利用するネットワーク・インターフェース・デバイス８２０を介して１つ又は複数の伝送媒体を使用する通信ネットワーク８２６を介して送信又は受信されてもよい。通信ネットワークの例は、ローカル・エリア・ネットワーク（ＬＡＮ）、広域ネットワーク（ＷＡＮ）、ワイヤレスＬＡＮ（ＷＬＡＮ）、インターネット、携帯電話網、従来型電話（ＰＯＴＳ）網、及びワイヤレス・データ・ネットワーク（たとえば、ＷＩ−ＦＩ（商標）、３Ｇ、及び４Ｇ  ＬＴＥ／ＬＴＥ−Ａ又はＷｉＭＡＸネットワーク）を含む。「伝送媒体」という用語は、通信装置によって実行するための命令を記憶、符号化、又は実行することが可能である任意の無形媒体を含むものとして解釈されるべきであり、デジタル若しくはアナログ通信信号、又は、そのようなソフトウェアの通信を容易にするための他の無形媒体を含む。ネットワーク・インターフェース・デバイスは、ワイヤレス・ネットワークと通信するための１つ又は複数のアンテナを含むことができる。ネットワーク・インターフェース・デバイス８２０は、１つ又は複数の異なるＲＡＴを含むことができ、それによって、通信装置８００は、複数のＲＡＮを介して異なる時点において又は同時に通信することができる。
【００５４】
特許請求項の範囲又は意味を限定又は解釈するために使用されないという了解の下で、要約書が提出される。添付の特許請求項は、本明細書において詳細な説明に組み込まれ、各特許請求項は、別個の実施形態として独立している。
【００５５】
例
以下の例は、さらなる実施形態に関する。
【００５６】
例１は、ハードウェア処理回路を備えるユーザ機器（ＵＥ）であり、ハードウェア処理回路は、無線アクセス・ネットワーク（ＲＡＮ）支援情報がＲＡＮの進化型ＮｏｄｅＢ（ｅＮＢ）から受信されているか否かを判定することであって、ＲＡＮ支援情報はＵＥネットワーク設定を含む、判定することと、ＲＡＮ支援情報が有効であるか否かを判定することと、ＲＡＮ支援情報が受信されており、有効であるときに、ＲＡＮとワイヤレス・ローカル・エリア・ネットワーク（ＷＬＡＮ）との間のトラフィック・ステアリングを実施することと、ＲＡＮ支援情報が受信されておらず、又は、有効でないときに、トラフィック・ステアリングを控え、新たなＲＡＮ支援情報を取得することと、新たなＲＡＮ支援情報が受信されるときに、新たなＲＡＮ支援情報を使用してＲＡＮとＷＬＡＮとの間のトラフィック・ステアリングを実施することとを行うように構成されている。
【００５７】
例２において、例１の主題は、任意選択的に、ＵＥが、利用可能な無線アクセス・ネットワーク（ＲＡＮ）支援情報の指示を３ＧＰＰシステムから受信することと、データがＵＥから送信されるべきであるとき、又は、ＵＥによって受信されるべきであるときを判定することと、データがＵＥから送信されるべきであるとき、又は、ＵＥによって受信されるべきであるときに、かつ、利用可能なＲＡＮ支援情報の指示に応答して、新たなＲＡＮ支援情報を取得することと、新たな、又は、記憶されている、有効なＲＡＮ支援情報に基づいて３ＧＰＰシステムとＷＬＡＮとの間のトラフィック・ステアリングを実施することとを行うようにさらに構成されていることを含むことができる。
【００５８】
例３において、例１〜２の主題は、任意選択的に、ＵＥが、データがＵＥから送信されるべきであるときを判定するために、アップロード・バッファが空でないかどうかを判定するようにさらに構成されていることを含むことができる。
【００５９】
例４において、例１〜３の主題は、任意選択的に、ＵＥが、データがＵＥによって受信されるべきであるときを判定するために、パケットの受信から所定の時間が満了したか否かを判定するようにさらに構成されていることを含むことができる。
【００６０】
例５において、例１〜４の主題は、任意選択的に、ＵＥが、先行して記憶されているＲＡＮ支援情報を有しないときを判定することと、利用可能なＲＡＮ支援情報をＵＥ内に記憶するか、又は、先行して記憶されているＲＡＮ支援情報を、利用可能なＲＡＮ支援情報に置き換えることとを行うようにさらに構成されていることを含むことができる。
【００６１】
例６において、例１〜５の主題は、任意選択的に、ＵＥがマルチＲＡＴ通信装置であることを含むことができる。
【００６２】
例７において、例１〜６の主題は、任意選択的に、ＵＥが、ＵＥがＲＲＣ＿ＩＤＬＥである間に、ＲＲＣ接続の確立及び／又はデータの転送を求める要求を受信することと、３ＧＰＰシステムからの新たな若しくは最新のＲＡＮ支援情報の指示の受信に応答して、又は、専用ＲＡＮ支援情報メッセージの受信後に、新たなＲＡＮ支援情報を取得し、記憶することと、先行して記憶されているＲＡＮ支援情報が利用可能でないときに、記憶されている新たなＲＡＮ支援情報に基づいて、３ＧＰＰシステムとＷＬＡＮとの間のトラフィック・ステアリングを実施することと、先行して記憶されているＲＡＮ支援情報が利用可能であるときに、新たな又は最新のＲＡＮ支援情報が受信される前に、先行して記憶されている有効なＲＡＮ支援情報を使用して、３ＧＰＰシステムとＷＬＡＮとの間のトラフィック・ステアリングを実施することとを行うようにさらに構成されていることを含むことができる。
【００６３】
例８において、例１〜７の主題は、任意選択的に、新たな又は最新のＲＡＮ支援情報の指示が、ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ又はＵＥに対する専用シグナリングを含むことを含むことができる。
【００６４】
例９において、例１〜８の主題は、任意選択的に、専用ＲＡＮ支援情報メッセージがＳＩＢ１７メッセージを含むことを含むことができる。
【００６５】
例１０において、例１〜９の主題は、任意選択的に、ＵＥが、ＲＡＮ支援情報が先行して記憶されておらず、又は、有効でないときに、利用可能なＲＡＮ支援情報を取得し、記憶するようにさらに構成されていることを含むことができる。
【００６６】
例１１において、例１〜１０の主題は、任意選択的に、ＵＥが、ＵＥがＲＲＣ＿ＩＤＬＥである間にＲＲＣ接続の確立及び／又はデータの転送を求める要求の受信後に、所定の期間を有する待機タイマを始動することと、所定の期間の満了後に、先行して記憶されている有効なＲＡＮ支援情報を使用して３ＧＰＰシステムとＷＬＡＮとの間のトラフィック・ステアリングを実施するか、又は、所定の期間の満了前で、かつ、専用ＲＡＮ支援情報メッセージが受信された後に、３ＧＰＰシステムからの新たな又は最新のＲＡＮ支援情報を取得して記憶し、新たな又は最新のＲＡＮ支援情報に基づいて３ＧＰＰシステムとＷＬＡＮとの間のトラフィック・ステアリングを実施することとを行うようにさらに構成されていることを含むことができる。
【００６７】
例１２において、例１〜１１の主題は、任意選択的に、ＲＡＮ支援情報が、当該情報が期限切れになっていない場合に有効であることを含むことができる。
【００６８】
例１３において、例１〜１２の主題は、任意選択的に、ＵＥが、３ＧＰＰシステムから後続する修正期間の指示を受信した後に、トラフィック・ステアリングのために、新たな又は最新のＲＡＮ支援情報を使用するようにさらに構成されていることを含むことができる。
【００６９】
例１４において、例１〜１３の主題は、任意選択的に、ＵＥが、利用可能な無線アクセス・ネットワーク（ＲＡＮ）支援情報の指示を３ＧＰＰシステムから受信することと、新たなＲＡＮ支援情報を３ＧＰＰシステムから取得し、記憶することと、記憶されているＲＡＮ支援情報、及び、データ・パケットがＵＥから送信され、又は、ＵＥによって受信されてから経過した時間に基づいて、３ＧＰＰシステムとＷＬＡＮとの間のトラフィック・ステアリングを実施することとを行うようにさらに構成されていることを含むことができる。
【００７０】
例１５において、例１〜１４の主題は、任意選択的に、ＵＥが、ブロードキャスト・メッセージ又はＵＥに対する専用メッセージから新たなＲＡＮ支援情報を受信するようにさらに構成されていることを含むことができる。
【００７１】
例１６において、例１〜１５の主題は、任意選択的に、ＵＥによるトラフィック・ステアリングが、データ・パケットがＵＥから送信され、又は、ＵＥによって受信されてから経過した時間に従ってスケーリングされているＴｓｔｅｅｒｉｎｇＷＬＡＮタイマによって決定されることを含むことができる。
【００７２】
例１７において、例１〜１６の主題は、任意選択的に、ＵＥによるトラフィック・ステアリングが、トラフィック・セッションのトラフィック特性に基づく、ＵＥからのパケット送信又はＵＥによるパケット受信の確率の関数に従ってスケーリングされているＴｓｔｅｅｒｉｎｇＷＬＡＮタイマによって決定されることを含むことができる。
【００７３】
例１８は、ユーザ機器（ＵＥ）によるＲＡＮ−ＷＬＡＮインターワーキングのための方法であり、方法は、無線アクセス・ネットワーク（ＲＡＮ）支援情報がＲＡＮの進化型ＮｏｄｅＢ（ｅＮＢ）から受信されているか否かを判定するステップであって、ＲＡＮ支援情報はＵＥネットワーク設定を含む、判定するステップと、ＲＡＮ支援情報が有効であるか否かを判定するステップと、ＲＡＮ支援情報が受信されており、有効であるときに、ＲＡＮとワイヤレス・ローカル・エリア・ネットワーク（ＷＬＡＮ）との間のトラフィック・ステアリングを実施するステップと、ＲＡＮ支援情報が受信されておらず、又は、有効でないときに、トラフィック・ステアリングを控え、新たなＲＡＮ支援情報を取得するステップと、新たなＲＡＮ支援情報が受信されるときに、新たなＲＡＮ支援情報を使用してＲＡＮとＷＬＡＮとの間のトラフィック・ステアリングを実施するステップとを含む。
【００７４】
例１９において、例１〜１８の主題は、任意選択的に、ＲＡＮ支援情報が、ＵＥがトラフィック・ステアリング決定を行うため、及び／又は、そのネットワーク設定をＵＥが３ＧＰＰシステムと通信することを可能にするように構成するために使用する、３ＧＰＰシステムによってブロードキャストされるデータを含むことを含むことができる。
【００７５】
例２０は、ユーザ機器（ＵＥ）による３ＧＰＰ−ワイヤレス・ローカル・エリア・ネットワーク（ＷＬＡＮ）インターワーキングのための方法であって、データがＵＥから送信されるべきであるとき、若しくは、ＵＥによって受信されるべきであるとき、最新の無線アクセス・ネットワーク（ＲＡＮ）支援情報が利用可能になった後、及び／又は、データが最後にＵＥから送信され、又は、ＵＥによって受信されてから経過した時間の後、のうちの少なくとも１つに基づいて、３ＧＰＰシステムとＷＬＡＮとの間でトラフィックをステアリングするステップを含む、方法である。
【００７６】
例２１において、例２０の主題は、任意選択的に、データがＵＥから送信され、又は、ＵＥによって受信されてから経過した時間を、ＴｓｔｅｅｒｉｎｇＷＬＡＮタイマによって判定するステップを含むことができる。
【００７７】
例２２において、例１９〜２１の主題は、任意選択的に、ＳｙｓｔｅｍＩｎｆｏｒｍａｔｉｏｎＢｌｏｃｋＴｙｐｅ１内のｓｙｓｔｅｍＩｎｆｏＶａｌｕｅＴａｇ又はＵＥに対する専用シグナリングを通じて、最新のＲＡＮ支援情報の指示を受信するステップを含むことができる。
【００７８】
例２３において、例１９〜２２の主題は、任意選択的に、専用ＲＡＮ支援情報メッセージがＳＩＢ１７メッセージを含むことを含むことができる。
【００７９】
例２４は、１つ又は複数のプロセッサによって、ＵＥの、無線アクセス・ネットワーク（ＲＡＮ）とＷＬＡＮとの間のトラフィック・ステアリングのための動作を実施するように実行するための命令を記憶している非一時的コンピュータ可読記憶媒体であって、動作は、ＵＥに、無線アクセス・ネットワーク（ＲＡＮ）支援情報がＲＡＮの進化型ＮｏｄｅＢ（ｅＮＢ）から受信されているか否かを判定することであって、ＲＡＮ支援情報はＵＥネットワーク設定を含む、判定することと、ＲＡＮ支援情報が有効であるか否かを判定することと、ＲＡＮ支援情報が受信されており、有効であるときに、ＲＡＮとワイヤレス・ローカル・エリア・ネットワーク（ＷＬＡＮ）との間のトラフィック・ステアリングを実施することと、ＲＡＮ支援情報が受信されておらず、又は、有効でないときに、新たなＲＡＮ支援情報を取得することと、新たなＲＡＮ支援情報が受信されるときに、新たなＲＡＮ支援情報を使用してＲＡＮとＷＬＡＮとの間のトラフィック・ステアリングを実施することとを行わせる、非一時的コンピュータ可読記憶媒体である。
【００８０】
例２５において、例２４の主題は、任意選択的に、動作がさらに、ＵＥに、アップロード・バッファが空でなく、又は、ｅＮＢ／ＡＰダウンロード・バッファが空でないという判定によって、データがＵＥから送信されるべきであるときを判定させることを含むことができる。
【００８１】
例２６において、例２４〜２５の主題は、任意選択的に、動作がさらに、ＵＥに、ＵＥにおける記憶されている有効なＳＩＢ情報に基づいて、又は、最新のＲＡＮ支援情報の受信の後に、トラフィックをステアリングさせることを含むことができる。
【図１】
0006408130.tif 000002
【図２】
0006408130.tif 000003
【図３】
0006408130.tif 000004
【図４】
0006408130.tif 000005
【図５】
0006408130.tif 000006
【図６】
0006408130.tif 000007
【図７】
0006408130.tif 000008
【図８】
0006408130.tif 000009